(57)【要約】【課題】ねじを使用せずに強固に固定することができる棚受金具を提供すること。【解決手段】電気機器収納用箱の内側に設けられた取付孔に嵌められて、棚板が載置される棚受金具１であって、取付孔の周縁部が嵌合する切り欠き部１１を幅方向Ｗｄに延びるように設けた構成とする。【選択図】図２
2019042112.tif 000002
【特許請求の範囲】
【請求項１】
電気機器収納用箱の内側に設けられた取付孔に嵌められて、棚板が載置される棚受金具であって、取付孔の周縁部が嵌合する切り欠き部を幅方向に延びるように設けた棚受金具。
【請求項２】
切り欠き部と一方の端部との間の部位が屈曲形状であり、取付孔の周縁部が切り欠き部に嵌合された状態で、取付孔に挿入される先端部を前記一方の端部に設けた請求項１に記載の棚受金具。
【請求項３】
切り欠き部の奥部に、段差部又は傾斜部を備えた請求項１又は２に記載の棚受金具。
【発明の詳細な説明】
【技術分野】
【０００１】
本発明は、電気機器収納用箱に取り付けられる棚受金具に関するものである。
【背景技術】
【０００２】
特許文献１に記載されているように、支柱に設けられた孔に対して取り付ける棚受金具が知られている。
【先行技術文献】
【特許文献】
【０００３】
【特許文献１】特開２００５−１９９０２４号公報
【０００４】
ところで、特許文献１に記載されているような棚受金具は、上向き舌片と横向き舌片を嵌合させて装着するため、支柱に強固に固定することができず、下方から手が当たるだけで支柱から外れてしまうものであった。ねじを用いて棚受金具と支柱を固定することなども考えられるが、棚受金具の位置を変更する際に、ねじを着脱する必要が生じ、作業性が良くない。
【発明の概要】
【発明が解決しようとする課題】
【０００５】
本件の発明者は、この点について鋭意検討することにより、解決を試みた。本発明の課題は、ねじを使用せずに強固に固定することができる棚受金具を提供することである。
【課題を解決するための手段】
【０００６】
上記課題を解決するため、電気機器収納用箱の内側に設けられた取付孔に嵌められて、棚板が載置される棚受金具であって、取付孔の周縁部が嵌合する切り欠き部を幅方向に延びるように設けた棚受金具とする。
【０００７】
また、切り欠き部と一方の端部との間の部位が屈曲形状であり、取付孔の周縁部が切り欠き部に嵌合された状態で、取付孔に挿入される先端部を前記一方の端部に設けた構成とすることが好ましい。
【０００８】
また、切り欠き部の奥部に、段差部又は傾斜部を備えた構成とすることが好ましい。
【発明の効果】
【０００９】
本発明では、ねじを使用せずに強固に固定することができる棚受金具を提供することが可能となる。
【図面の簡単な説明】
【００１０】
【図１】取付孔を備えた電気機器収納用箱の斜視図である。
【図２】実施形態における棚受金具の斜視図である。ただし、切り欠き部は奥行き深さが一律である。
【図３】棚受金具の取付手順を示した図である。
【図４】棚板と棚受金具を固定ねじで固定した状態を示した図である。
【図５】実施形態における棚受金具の斜視図である。ただし、切り欠き部は奥行き深さが非一律である。
【図６】図５に示した棚受金具を薄い取付面と固定した状態を示した図である。
【図７】図５に示した棚受金具を厚い取付面と固定した状態を示した図である。
【図８】切り欠き部に傾斜部を備えた棚受金具を薄い取付面と固定した状態を示した図である。
【図９】切り欠き部に傾斜部を備えた棚受金具を厚い取付面と固定した状態を示した図である。
【発明を実施するための形態】
【００１１】
以下に発明を実施するための形態を示す。図１乃至図４に示されていることから理解されるように、本実施形態の棚受金具１は、電気機器収納用箱９の内側に設けられた取付孔９５に嵌められるものであり、その上に棚板９６が載置される。また、この棚受金具１は、取付孔９５の周縁部が嵌合する切り欠き部１１を幅方向Ｗｄに延びるように設けている。このため、切り欠き部１１は棚受金具１が取付孔９５から抜け落ちることを防止するように機能し、ねじを使用せずに強固に固定することができる棚受金具１を提供することが可能となる。
【００１２】
ここで、電気機器収納用箱９について説明する。図１に示すように、電気機器収納用箱９は、天板９１と底板９２と左右側板９３を備えている。左右に位置する側板９３は前後方向の端部を内側に折り曲げ、取付面９４を設けている。側板９３の取付面９４には、上下方向に並ぶ複数の取付孔９５が設けられている。実施形態では、側板９３の前後四箇所の取付孔９５に棚受金具１を取り付け、これらの棚受金具１に棚板９６を載置している。このようにして、電気機器収納用箱９内に棚板９６を配置している。
【００１３】
取付孔９５には、電気機器を載置する棚板９６を固定するための棚受金具１や、電気機器の配線を固定する配線固定部材などが取り付けられる。なお、棚受金具１を取り付けるための取付孔９５は縦方向に長い、長方形状としている。
【００１４】
図２に示すように、本実施形態の棚受金具１は、断面略Ｓ字形状であるが、金属板を屈曲させて当該構成としている。また、棚受金具１の前後幅方向Ｗｄのサイズは、取付孔９５の横方向のサイズよりも大きくしている。棚受金具１は、略中間位置に切り欠き部１１を設けており、切り欠き部１１を設けた箇所の前後幅方向Ｗｄのサイズは、他の部分よりも小さくなっている。なお、切り欠き部１１を設けた箇所における棚受金具１の前後幅方向Ｗｄのサイズは、取付孔９５の横方向のサイズと略同一であることが好ましい。そうすることで、取付孔９５で棚受金具１を挟み込むことができ、棚受金具１の前後方向に対して強固に固定することができる。
【００１５】
また、切り欠き部１１の左右幅方向のサイズは、取付面９４の板厚と略同一であることが好ましい。そうすることで、棚受金具１で取付面９４を挟み込むことができ、棚受金具１の左右方向に対して強固に固定することができる。
【００１６】
棚受金具１を略Ｓ字状に形勢することで、一方の端部を取付面９４の内側から当接させ、もう一方の端部を取付面９４の外側から当接させる構成とすることが好ましい。このような構成とすることによって、棚受金具１の両端部と切り欠き部１１の３点で棚受金具１を取付孔９５に固定することができるため、強固に固定することができる。
【００１７】
また、棚受金具１の一方の端部には、先端部となる凸部１２を設けている。切り欠き部１１と一方の端部との間の部位は屈曲形状であり、取付孔９５の周縁部が切り欠き部１１に嵌合された状態で、先端部を取付孔９５に挿入することができる。棚受金具１の固定時に、この凸部１２を取付面９４の内側から取付孔９５に挿入すれば、棚受金具１が回転することを防止することができる。
【００１８】
また、棚受金具１の凸部１２を取付孔９５の上端に当接させ、棚受金具１の切り欠き部１１を取付孔９５の下端に当接させることによって、取付孔９５で棚受金具１を挟み込むことができ、棚受金具１の上下方向に対して強固に固定することができる。
【００１９】
ここで、棚受金具１の取り付け方について説明する。まず、図３に示すことから理解されるように、棚受金具１の前後幅方向Ｗｄが取付孔９５の縦方向に合うように、棚受金具１を時計周りに９０度回転させる。次に、棚受金具１の凸部１２を設けた端部から取付孔９５に挿入する。そして、棚受金具１の切り欠き部１１の位置で、棚受金具１を反時計周りに９０度回転させ、切り欠き部１１と取付面９４を嵌合させる。その後、凸部１２を取付孔９５に挿入する。
【００２０】
棚受金具１には、棚板９６を載置するための載置面１４を設けている。この載置面１４に設けたねじ孔１３と、棚板９６に設けた長穴に固定ねじ９８を貫通させ、ねじ止めすることで、図４に示すように、棚受金具１と棚板９６とを固定することができる。なお、棚受金具１と棚板９６とをねじ固定することによって、電気機器収納用箱９に棚板９６を強固に固定することができる。
【００２１】
ところで、図２に示す形態の切り欠き部１１は、奥行き深さが一律であるが、切り欠き部１１は、奥行き深さが一律でないように設けることも可能である。この場合、板厚の異なる取付面９４に対しても棚受金具１を取り付けることができる。より具体的には、図５乃至７に示すことから理解されるように、凹部１５などを設けることにより切り欠き部１１の奥部に段差部１６を設ければ、板厚の異なる取付面９４に対しても、棚受金具１を取り付けることができる。
【００２２】
なお、板厚の厚い取付面９４に合わせて切り欠き部１１の左右方向のサイズを定め、板厚の薄い取付面９４に合わせて凹部１５の左右方向のサイズを定めることが好ましい。そうすることで、板厚の異なる取付面９４であっても、棚受金具１を取付孔９５に挟み込むことができるため、強固に固定することができる。
【００２３】
また、取付孔９５の横方向のサイズについても、取付面９４の板厚に合わせることが好ましい。つまり、板厚が厚い取付面９４である場合には、切り欠き部１１の凹部１５ではない部分における棚受金具１の前後方向の幅に合わせて取付孔９５の横方向のサイズを定め、板厚が薄い取付面９４である場合には、凹部１５における棚受金具１の前後方向の幅に合わせて取付孔９５の横方向のサイズを定めることが好ましい。
【００２４】
なお、取付孔９５の横方向のサイズを変更することにあわせて、凸部１２の前後方向の幅サイズについても変更させることが好ましい。例えば、厚い板厚の場合の取付孔９５に合わせたサイズと、薄い板厚の場合の取付孔９５に合わせたサイズの２段階で凸部１２の前後方向の幅サイズを設けることが好ましい。
【００２５】
ところで、切り欠き部１１の奥行き深さが一律でないようにするために、切り欠き部１１の奥部に傾斜部１７を設けても良い。このような形態でも、図８及び図９に示すように、板厚の異なる取付面９４に対しても、棚受金具１を取り付けることができる。
【００２６】
以上、一つの実施形態について説明してきたが、本発明は上記実施形態に限定されることはなく、各種の態様とすることが可能である。例えば、棚受金具はＳ字状に形成されていなくても良い。
【００２７】
切り欠き部は、棚受金具の両側面側に設けられている必要は無く、片側だけに設けられているものとしても良い。この際、切り欠き部が設けられている側とは反対の端部側に、取付面と係合可能な突起などを設け、棚受金具がより抜け落ちにくくなるようにしても良い。
【符号の説明】
【００２８】
１  棚受金具
９  電気機器収納用箱
１１  切り欠き部
１２  凸部
１６  段差部
１７  傾斜部
９５  取付孔
９６  棚板
【図１】
2019042112.tif 000003
【図２】
2019042112.tif 000004
【図３】
2019042112.tif 000005
【図４】
2019042112.tif 000006
【図５】
2019042112.tif 000007
【図６】
2019042112.tif 000008
【図７】
2019042112.tif 000009
【図８】
2019042112.tif 000010
【図９】
2019042112.tif 000011